(57)【要約】【課題】  通信装置間の距離を大きくする。【解決手段】  信号処理部１４は、アダプティブアレイアンテナによる送受信処理に必要な信号処理を行う。制御部２０は、無線部１２、信号処理部１４、モデム部１６、ベースバンド部１８のタイミングやチャネル配置を制御する。制御部２０は、タイミングの制御のために端末装置２６から受信したパケット信号に誤りが含まれているかを判定する。判定のために、パケット信号に含まれたＣＲＣビットあるいはパケット信号のＥＶＭを切り替えて使用する。さらに制御部２０は、フレームタイミングを生成し、端末装置２６との間の通信を実行している。ここで、受信したパケット信号の遅延が大きかった端末装置２６に対して、パケット信号を送信する際に送信すべきタイミングをはやめるように制御する。【選択図】図１
2006019807.tif 000002
【特許請求の範囲】
【請求項１】
所定のタイムスロットで受信したパケット信号から既知の信号を検出する検出部と、
前記タイムスロットのうちで、既知の信号を検出したタイミングと、予め定めた基準のタイミングを比較する比較部と、
前記既知の信号を検出したタイミングが、前記予め定めた基準のタイミングよりも前のタイミングに相当すれば、前記受信したパケット信号の後部に配置されたチェックビットにもとづいて、前記受信したパケット信号の正誤を判定し、前記既知の信号を検出したタイミングが、前記予め定めた基準のタイミングよりも後ろのタイミングに相当すれば、前記受信したパケット信号の変調精度を導出し、導出した変調精度にもとづいて、前記受信したパケット信号の正誤を判定する判定部と、
を備えることを特徴とする通信装置。
【請求項２】
前記比較部での基準のタイミングは、前記受信したパケット信号の後部に配置されたチェックビットの少なくとも一部が、タイムスロットから外れるようなタイミングにもとづいて定められることを特徴とする請求項１に記載の通信装置。
【請求項３】
前記比較部は、前記タイムスロットのうちで、前記予め定めた基準のタイミングよりも後ろのタイミングに別の基準のタイミングをさらに定め、
前記判定部は、前記既知の信号を検出したタイミングが、前記定めた別の基準のタイミングよりも後ろのタイミングに相当すれば、前記パケット信号を復調してえられたデータにもとづいて、前記受信したパケット信号の正誤を判定することを特徴とする請求項１または２に記載の通信装置。
【請求項４】
前記比較部での別の基準のタイミングは、前記受信したパケット信号の後部に配置されたチェックビットの全部が、タイムスロットから外れるようなタイミングにもとづいて定められることを特徴とする請求項３に記載の通信装置。
【請求項５】
複数のアンテナでそれぞれ受信したパケット信号をアダプティブアレイ信号処理する処理部をさらに備え、
前記判定部は、パケット信号に含まれた信号が配置されるべき信号点のいずれかと、アダプティブアレイ信号処理したパケット信号に含まれた信号の信号点にもとづいて、パケット信号の変調精度を導出することを特徴とする請求項１から４のいずれかに記載の通信装置。
【請求項６】
前記判定部において、前記既知の信号を検出したタイミングが、前記予め定めた基準のタイミングよりも前のタイミングに相当すれば、前記受信したパケット信号に対応した通信装置へ、予め定められたタイミングからパケット信号の送信を開始し、前記既知の信号を検出したタイミングが、前記予め定めた基準のタイミングよりも後ろのタイミングに相当すれば、前記受信したパケット信号に対応した通信装置へ、前記予め定められたタイミングより前のタイミングからパケット信号の送信を開始する送信部をさらに備えることを特徴とする請求項１から５のいずれかに記載の通信装置。
【請求項７】
所定のタイムスロットで受信したパケット信号から既知の信号を検出するステップと、
前記タイムスロットのうちで、既知の信号を検出したタイミングと、予め定めた基準のタイミングを比較するステップと、
前記既知の信号を検出したタイミングが、前記予め定めた基準のタイミングよりも前のタイミングに相当すれば、前記受信したパケット信号の後部に配置されたチェックビットにもとづいて、前記受信したパケット信号の正誤を判定するステップと、
前記既知の信号を検出したタイミングが、前記予め定めた基準のタイミングよりも後ろのタイミングに相当すれば、前記受信したパケット信号の変調精度を導出し、導出した変調精度にもとづいて、前記受信したパケット信号の正誤を判定するステップと、
を備えることを特徴とする通信方法。
【請求項８】
無線ネットワークを介して、所定のタイムスロットで受信したパケット信号から既知の信号を検出するステップと、
前記タイムスロットのうちで、既知の信号を検出したタイミングと、予めメモリに記憶した基準のタイミングを比較するステップと、
前記既知の信号を検出したタイミングが、前記予めメモリに記憶した基準のタイミングよりも前のタイミングに相当すれば、前記受信したパケット信号の後部に配置されたチェックビットにもとづいて、前記受信したパケット信号の正誤を判定し、その結果を出力するステップと、
前記既知の信号を検出したタイミングが、前記予めメモリに記憶した基準のタイミングよりも後ろのタイミングに相当すれば、前記受信したパケット信号の変調精度を導出し、導出した変調精度にもとづいて、前記受信したパケット信号の正誤を判定し、その結果を出力するステップと、
をコンピュータに実行させるためのプログラム。
【発明の詳細な説明】
【技術分野】
【０００１】
本発明は、通信技術に関し、特にパケット形式の信号を伝送する通信方法および装置に関する。
【背景技術】
【０００２】
簡易型携帯電話システムや携帯電話システムなどの移動通信システムは、一般的に基地局装置が複数の端末装置を接続する。このような多重接続方式がＴＤＭＡ（Ｔｉｍｅ Ｄｉｖｉｓｉｏｎ Ｍｕｌｔｉｐｌｅ Ａｃｃｅｓｓ）である場合、ひとつのフレームは複数のタイムスロットで形成され、基地局装置は、複数のタイムスロットのそれぞれを端末装置に割り当てる。さらに、基地局装置と端末装置は、対応したタイムスロットの中でパケット信号を送信する。一方、当該パケット信号を受信した端末装置と基地局装置は、回線監視としてエラー検出を実行する。すなわち、パケット信号に付加されたＣＲＣ（Ｃｙｃｌｉｃ Ｒｅｄｕｎｄａｎｃｙ Ｃｈｅｃｋ）ビットにもとづいて、受信したパケット信号にエラーが存在するかを監視する（例えば、特許文献１参照。）。
【０００３】
【特許文献１】特開２０００−２３２３７号公報
【発明の開示】
【発明が解決しようとする課題】
【０００４】
基地局装置と端末装置の間で通信を行うためには、それらの間でタイミングの同期がなされていなければならない。一般的に、基地局装置で生成されるタイミングに端末装置が同期することによって、両者間のタイミング同期が確立される。その際、端末装置は、基地局装置から受信したパケット信号に対して、タイミング同期を実行する。しかしながら、基地局装置と端末装置との間は所定の距離だけ隔てられているので、基地局装置から送信されたパケット信号が端末装置で受信されるまで所定の期間を要し、その結果として、基地局装置と端末装置とのタイミングにずれが生じる。このずれを許容するために、一般的にタイムスロット内にガードタイムが設けられている。その結果、タイミングのずれによるパケット信号の遅延が当該ガードタイム以内であれば、パケット信号を受信できる。しかしながら、基地局装置と端末装置間の距離が大きくなって、タイミングのずれが大きくなれば、パケット信号の遅延がガードタイムより大きくなってしまい、複数の端末装置間のパケット信号で干渉が生じる。
【０００５】
本発明はこうした状況に鑑みてなされたものであり、その目的は、基地局装置と端末装置の間のタイミングのずれを補正する通信方法および装置を提供することにある。
【課題を解決するための手段】
【０００６】
上記課題を解決するために、本発明のある態様の通信装置は、所定のタイムスロットで受信したパケット信号から既知の信号を検出する検出部と、タイムスロットのうちで、既知の信号を検出したタイミングと、予め定めた基準のタイミングを比較する比較部と、既知の信号を検出したタイミングが、予め定めた基準のタイミングよりも前のタイミングに相当すれば、受信したパケット信号の後部に配置されたチェックビットにもとづいて、受信したパケット信号の正誤を判定し、既知の信号を検出したタイミングが、予め定めた基準のタイミングよりも後ろのタイミングに相当すれば、受信したパケット信号の変調精度を導出し、導出した変調精度にもとづいて、受信したパケット信号の正誤を判定する判定部とを備える。
【０００７】
「チェックビット」の一例はＣＲＣビットであるが、これに限らず誤り検出符号であればよい。
この態様によると、チェックビットを検出できなくても、パケット信号の変調精度を使用してパケット信号の正誤を判定するので、パケット信号の遅延が大きくなっても、誤り判定を実行できる。
【０００８】
比較部での基準のタイミングは、受信したパケット信号の後部に配置されたチェックビットの少なくとも一部が、タイムスロットから外れるようなタイミングにもとづいて定められてもよい。
「タイムスロットから外れるようなタイミングにもとづいて定められ」るとは、チェックビットがタイムスロットから外れるようなタイミングを特定し、特定した値に所定の値を加減して定めればよく、またこれ以外であっても所定の処理を施して定めればよい。
【０００９】
比較部は、タイムスロットのうちで、予め定めた基準のタイミングよりも後ろのタイミングに別の基準のタイミングをさらに定め、判定部は、既知の信号を検出したタイミングが、定めた別の基準のタイミングよりも後ろのタイミングに相当すれば、パケット信号を復調してえられたデータにもとづいて、受信したパケット信号の正誤を判定してもよい。比較部での別の基準のタイミングは、受信したパケット信号の後部に配置されたチェックビットの全部が、タイムスロットから外れるようなタイミングにもとづいて定められてもよい。チェックビットがすべて後段のタイムスロットに重なった場合であっても、復調してえられたデータにもとづいて、パケット信号の正誤を判定できるので、誤り判定を実行できる。
【００１０】
複数のアンテナでそれぞれ受信したパケット信号をアダプティブアレイ信号処理する処理部をさらに備え、判定部は、パケット信号に含まれた信号が配置されるべき信号点のいずれかと、アダプティブアレイ信号処理したパケット信号に含まれた信号の信号点にもとづいて、パケット信号の変調精度を導出してもよい。アダプティブアレイ信号処理してから、パケット信号を復調するので伝送品質を改善できる。判定部において、既知の信号を検出したタイミングが、予め定めた基準のタイミングよりも前のタイミングに相当すれば、受信したパケット信号に対応した通信装置へ、予め定められたタイミングからパケット信号の送信を開始し、既知の信号を検出したタイミングが、予め定めた基準のタイミングよりも後ろのタイミングに相当すれば、受信したパケット信号に対応した通信装置へ、予め定められたタイミングより前のタイミングからパケット信号の送信を開始する送信部をさらに備えてもよい。受信したパケット信号の遅延が大きければ、パケット信号を送信するタイミングを前方にシフトするので、折り返してパケット信号を受信する際に、遅延を小さくできる。
【００１１】
本発明の別の態様は、通信方法である。この方法は、所定のタイムスロットで受信したパケット信号から既知の信号を検出するステップと、タイムスロットのうちで、既知の信号を検出したタイミングと、予め定めた基準のタイミングを比較するステップと、既知の信号を検出したタイミングが、予め定めた基準のタイミングよりも前のタイミングに相当すれば、受信したパケット信号の後部に配置されたチェックビットにもとづいて、受信したパケット信号の正誤を判定するステップと、既知の信号を検出したタイミングが、予め定めた基準のタイミングよりも後ろのタイミングに相当すれば、受信したパケット信号の変調精度を導出し、導出した変調精度にもとづいて、受信したパケット信号の正誤を判定するステップとを備える。
【００１２】
比較するステップでの基準のタイミングは、受信したパケット信号の後部に配置されたチェックビットの少なくとも一部が、タイムスロットから外れるようなタイミングにもとづいて定められてもよい。比較するステップは、タイムスロットのうちで、予め定めた基準のタイミングよりも後ろのタイミングに別の基準のタイミングをさらに定め、既知の信号を検出したタイミングが、定めた別の基準のタイミングよりも後ろのタイミングに相当すれば、パケット信号を復調してえられたデータにもとづいて、受信したパケット信号の正誤を判定するステップをさらに備えてもよい。比較するステップでの別の基準のタイミングは、受信したパケット信号の後部に配置されたチェックビットの全部が、タイムスロットから外れるようなタイミングにもとづいて定められてもよい。
【００１３】
複数のアンテナでそれぞれ受信したパケット信号をアダプティブアレイ信号処理するステップをさらに備え、導出した変調精度にもとづいて、受信したパケット信号の正誤を判定するステップは、パケット信号に含まれた信号が配置されるべき信号点のいずれかと、アダプティブアレイ信号処理したパケット信号に含まれた信号の信号点にもとづいて、パケット信号の変調精度を導出してもよい。比較するステップにおいて、既知の信号を検出したタイミングが、予め定めた基準のタイミングよりも前のタイミングに相当すれば、受信したパケット信号に対応した通信装置へ、予め定められたタイミングからパケット信号の送信を開始し、既知の信号を検出したタイミングが、予め定めた基準のタイミングよりも後ろのタイミングに相当すれば、受信したパケット信号に対応した通信装置へ、予め定められたタイミングより前のタイミングからパケット信号の送信を開始するステップをさらに備えてもよい。
【００１４】
本発明のさらに別の態様は、プログラムである。このプログラムは、無線ネットワークを介して、所定のタイムスロットで受信したパケット信号から既知の信号を検出するステップと、タイムスロットのうちで、既知の信号を検出したタイミングと、予めメモリに記憶した基準のタイミングを比較するステップと、既知の信号を検出したタイミングが、予めメモリに記憶した基準のタイミングよりも前のタイミングに相当すれば、受信したパケット信号の後部に配置されたチェックビットにもとづいて、受信したパケット信号の正誤を判定し、その結果を出力するステップと、既知の信号を検出したタイミングが、予めメモリに記憶した基準のタイミングよりも後ろのタイミングに相当すれば、受信したパケット信号の変調精度を導出し、導出した変調精度にもとづいて、受信したパケット信号の正誤を判定し、その結果を出力するステップとをコンピュータに実行させる。
【００１５】
比較するステップでの基準のタイミングは、受信したパケット信号の後部に配置されたチェックビットの少なくとも一部が、タイムスロットから外れるようなタイミングにもとづいて定められてもよい。比較するステップは、タイムスロットのうちで、予め定めた基準のタイミングよりも後ろのタイミングに別の基準のタイミングをさらに定め、既知の信号を検出したタイミングが、定めた別の基準のタイミングよりも後ろのタイミングに相当すれば、パケット信号を復調してえられたデータにもとづいて、受信したパケット信号の正誤を判定するステップをさらに備えてもよい。比較するステップでの別の基準のタイミングは、受信したパケット信号の後部に配置されたチェックビットの全部が、タイムスロットから外れるようなタイミングにもとづいて定められてもよい。
【００１６】
複数のアンテナでそれぞれ受信したパケット信号をアダプティブアレイ信号処理するステップをさらに備え、導出した変調精度にもとづいて、受信したパケット信号の正誤を判定し、その結果を出力するステップは、パケット信号に含まれた信号が配置されるべき信号点のいずれかと、アダプティブアレイ信号処理したパケット信号に含まれた信号の信号点にもとづいて、パケット信号の変調精度を導出してもよい。比較するステップにおいて、既知の信号を検出したタイミングが、予め定めた基準のタイミングよりも前のタイミングに相当すれば、受信したパケット信号に対応した通信装置へ、予め定められたタイミングからパケット信号の送信を開始し、既知の信号を検出したタイミングが、予め定めた基準のタイミングよりも後ろのタイミングに相当すれば、受信したパケット信号に対応した通信装置へ、予め定められたタイミングより前のタイミングからパケット信号の送信を開始するステップをさらに備えてもよい。
【００１７】
なお、以上の構成要素の任意の組合せ、本発明の表現を方法、装置、システム、記録媒体、コンピュータプログラムなどの間で変換したものもまた、本発明の態様として有効である。
【発明の効果】
【００１８】
本発明によれば、基地局装置と端末装置の間のタイミングのずれを補正できる。
【発明を実施するための最良の形態】
【００１９】
本発明を具体的に説明する前に、概要を述べる。本発明の実施例は、簡易型携帯電話システムの基地局装置に関する。基地局装置は８つのタイムスロットで構成されたフレームを設定する。８つのタイムスロットは、４つの上り回線のタイムスロットと４つの下り回線のタイムスロットで構成され、上り回線のひとつのタイムスロットと下り回線のひとつのタイムスロットをひとつの端末装置に割り当て、当該端末装置と通信する。基地局装置は、所定のタイムスロットで端末装置からのパケット信号を受信する。
【００２０】
また、タイムスロットの最後部にガードタイムが設けられており、さらにガードタイムの前段にはＣＲＣビットが設けられている。基地局装置は、所定のタイムスロットで端末装置から受信したパケット信号に誤りが含まれているかをＣＲＣビットによって判定する。端末装置と基地局装置の距離が大きくなれば、端末装置から受信するパケット信号の遅延も大きくなる。さらに、ＣＲＣビットがタイムスロットから外れるまで、パケット信号の遅延が大きくなれば、当該パケット信号に誤りが含まれているかをＣＲＣビットで判定できなくなり、当該パケット信号を受信できなくなる。
【００２１】
本実施例に係る基地局装置は、タイムスロットにＣＲＣビットがおさまる程度にパケット信号が遅延していれば、従来と同様にＣＲＣビットでパケット信号に誤りが含まれているかを判定する。一方、タイムスロットにＣＲＣビットがおさまっていなければ、パケット信号のＥＶＭ（Ｅｒｒｏｒ  Ｖｅｃｔｏｒ  Ｍａｇｎｉｔｕｄｅ）を測定し、当該ＥＶＭにもとづいてパケット信号に誤りが含まれているかを判定する。すなわち、ＥＶＭが小さければ、パケット信号に誤りが含まれていないと判定する。さらに、タイムスロットにＣＲＣビットがおさまっていなければ、基地局装置は、所定のタイムスロットで端末装置へパケット信号を送信する際に、パケット信号の送信開始のタイミングを早める。端末装置は、基地局装置から受信したパケット信号にもとづいて、基地局装置との間でタイミング同期を確立するが、パケット信号の送信開始のタイミングが早められることによって、端末装置と基地局装置の距離が離れていても、端末装置と基地局装置のタイミングの誤差は小さくなる。そのため、端末装置から基地局装置へのパケット信号の送信開始のタイミングも早くなり、基地局装置で受信したパケット信号の遅延時間も小さくなる。なお、以上の処理はひとつの端末装置を単位にして実行できるので、他の端末装置は通常通りの処理ですみ、処理を簡易にできる。
【００２２】
図１は、本発明の実施例に係る通信システム１００の構成を示す。通信システム１００は、基地局装置１０、端末装置２６、ネットワーク２４を含む。基地局装置１０は、アンテナ２２と総称する第１アンテナ２２ａ、第２アンテナ２２ｂ、第ｎアンテナ２２ｎ、無線部１２、信号処理部１４、モデム部１６、ベースバンド部１８、制御部２０を含み、ネットワーク２４と接続している。端末装置２６は、アンテナ３４を含む。また、無線部１２は、第１無線部１２ａ、第２無線部１２ｂ、第Ｎ無線部１２ｎを含む。また、信号として、無線部制御信号３１８、モデム部制御信号３２０、ベースバンド部制御信号３２２、信号処理部制御信号３３０を含む。図１の通信システムにおいて、基地局装置１０はひとつの端末装置２６を接続しているが、実際には複数の端末装置２６を接続可能であり、端末装置２６との距離もさまざまである。
【００２３】
ベースバンド部１８は、ネットワーク２４とのインターフェースであり、通信システムで伝送の対象となる情報信号の送受信処理を行う。また、誤り訂正や自動再送処理がなされてもよいが、ここでは説明を省略する。
【００２４】
モデム部１６は、変調処理として、π／４シフトＱＰＳＫ（Ｑｕａｄｒａｔｕｒｅ  Ｐｈａｓｅ  Ｓｈｉｆｔ  Ｋｅｙｉｎｇ）の変調方式によって、送信すべき情報信号を変調する。また、復調処理として、受信信号を復調して、送信された情報信号を再生する。なお、変調処理および復調処理を実行する際に必要な指示は、制御部２０からモデム部制御信号３２０によってなされる。
【００２５】
信号処理部１４は、アダプティブアレイアンテナによる送受信処理に必要な信号処理を行う。詳細は後述する。無線部１２は、信号処理部１４、モデム部１６、ベースバンド部１８で処理されるベースバンドの信号と無線周波数の信号間の周波数変換処理、増幅処理、ＡＤまたはＤＡ変換処理等を行う。アンテナ２２は、無線周波数の信号を送受信処理する。アンテナの指向性は任意でよく、アンテナ２２のアンテナ数はＮとされる。
【００２６】
制御部２０は、無線部１２、信号処理部１４、モデム部１６、ベースバンド部１８のタイミングやチャネル配置を制御する。詳細は後述するが、制御部２０は、端末装置２６から受信したパケット信号に誤りが含まれているかを判定する。判定のために、パケット信号に含まれたＣＲＣビットあるいはパケット信号のＥＶＭを切り替えて使用する。また、パケット信号のＥＶＭも測定する。さらに制御部２０は、フレームタイミングを生成し、ひとつのフレームの中に８つのタイムスロットを配置させて端末装置２６との間の通信を実行している。ここで、受信したパケット信号の遅延が大きかった端末装置２６に対して、パケット信号を送信する際に送信すべきタイミングをはやめるように制御する。
【００２７】
この構成は、ハードウエア的には、任意のコンピュータのＣＰＵ、メモリ、その他のＬＳＩで実現でき、ソフトウエア的にはメモリのロードされた予約管理機能のあるプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。
【００２８】
図２は、通信システム１００でのフレームフォーマットの構成を示す。前述のごとく、上段に示したひとつのフレームは、８つのタイムスロットで構成されており、ここでは、「第１タイムスロット」から「第８タイムスロット」で示される。また、図示のごとく、「第１タイムスロット」から「第４タイムスロット」が上り回線に使用され、「第５タイムスロット」から「第８タイムスロット」が下り回線に使用される。例えば、基地局装置１０は、ひとつの端末装置２６に対して「第２タイムスロット」と「第６タイムスロット」を割り当て、当該端末装置２６と通信する。
【００２９】
下段には、ひとつのタイムスロットの構成を示すが、基地局装置１０や端末装置２６は、このような構成のパケット信号を送信するので、パケット信号の構成ともいえる。「Ｒ」は「ランプ」であり、パケット信号の振幅が徐々に大きくなるような値に設定されている。「ＳＳ」は「スタートシンボル」であり、パケット信号の開始を示す。「ＰＲ」は「プリアンブル」であり、タイミング同期等に使用される。「ＵＷ」は「ユニークワード」であり、当該パケット信号の識別に使用される。それに続いて、「ＣＩ」と「ＳＡ」が配置される。「ＤＡＴＡ」は「データ」であり、送信されるべき情報が含まれる。「ＣＲＣ」は「ＣＲＣビット」であり、パケット信号に誤りが含まれているかを判定するために使用される。「Ｇ」は「ガードタイム」であり、実際には信号が配置されずに、信号が送信されない期間となっている。ここで、「ＰＲ」は既知の信号であるので、後述のトレーニング信号として使用される。
【００３０】
図３（ａ）−（ｄ）は、通信システム１００でのタイムスロットとパケット信号との関係を示す。図３（ａ）は、ひとつのタイムスロットにパケット信号がおさまっている場合である。図３（ｂ）は、図３（ａ）の状態からパケット信号が遅延し、「Ｇ」が後続のタイムスロットに重なってしまっている場合である。このような状態においても「ＣＲＣ」は、タイムスロット内に含まれているので、パケット信号に誤りが含まれているかを「ＣＲＣ」によって判定できる。さらに、後続のタイムスロットに「Ｇ」が重なっているが、実質的に「Ｇ」には信号が含まれていないので、後続のタイムスロットに配置されたパケット信号に干渉を及ぼさない。その結果、図３（ｂ）の状態では、図３（ａ）と同様に、通信がなされる。このような状態において、タイムスロットの中で「ＳＳ」が配置されるタイミングを「第１基準タイミング」とする。第１基準タイミングは、受信したパケット信号に配置された「ＣＲＣ」の少なくとも一部が、タイムスロットから外れるようなタイミングにもとづいて定められる。受信したパケット信号に含まれたＳＳのタイミングが、第１基準タイミングより前のタイミングに相当すれば、ＣＲＣによってパケット信号に誤りが含まれているかを判定する。
【００３１】
図３（ｃ）は、図３（ｂ）の状態からパケット信号が遅延し、「ＣＲＣ」の一部が後続のタイムスロットに重なってしまっている場合である。また、図３（ｄ）は、図３（ｃ）の状態からパケット信号が遅延し、「ＣＲＣ」が後続のタイムスロットに重なってしまっている場合である。図３（ｃ）と図３（ｄ）では、「ＣＲＣ」の全体がタイムスロットに含まれていないので、パケット信号に誤りが含まれていないかを「ＣＲＣ」によって判定できない。このような場合に、基地局装置１０は、パケット信号のＥＶＭを計測し、計測したＥＶＭにもとづいて、パケット信号に誤りが含まれていないかを判定する。
【００３２】
なお、図３（ｄ）の状態においても、パケット信号に含まれたデータ信号の部分は、タイムスロット内に含まれている。このような状態において、タイムスロットの中で「ＳＳ」が配置されるタイミングを「第２基準タイミング」とする。第２基準タイミングは、受信したパケット信号に配置された「ＣＲＣ」の全部が、タイムスロットから外れるようなタイミングにもとづいて定められる。一方、パケット信号の受信が第２基準タイミングよりも遅くなると、パケット信号に含まれたデータ信号の一部がタイムスロットに含まれなくなってしまう。パケット信号の受信が第２基準タイミングよりも遅くなった場合には、データを復調してから、パケット信号に誤りが含まれていないかを判定するものとする。
【００３３】
図４は、第１無線部１２ａの構成を示す。第１無線部１２ａは、スイッチ部３６、受信部３８、送信部４０を含む。さらに、受信部３８は、周波数変換部４２、直交検波部４４、ＡＧＣ（Ａｕｔｏｍａｔｉｃ  Ｇａｉｎ  Ｃｏｎｔｒｏｌ）４６、ＡＤ変換部４８を含み、送信部４０は、増幅部５０、周波数変換部５２、直交変調部５４、ＤＡ変換部５６を含む。また、信号として、デジタル受信信号３００と総称される第１デジタル受信信号３００ａ、デジタル送信信号３０２と総称される第１デジタル送信信号３０２ａを含む。
【００３４】
スイッチ部３６は、無線部制御信号３１８の指示にもとづいて、受信部３８と送信部４０に対する信号の入出力を切りかえる。
受信部３８の周波数変換部４２と送信部４０の周波数変換部５２は、無線周波数の信号とひとつまたは複数の中間周波数の信号間の周波数変換を行う。
【００３５】
ＡＧＣ４６は、周波数変換した信号の振幅をＡＤ変換部４８のダイナミックレンジ内の振幅にするために、利得を自動的に制御する。ＡＤ変換部４８は、ベースバンドのアナログ信号をデジタル信号に変換する。直交検波部４４は、中間周波数の信号から直交検波によって、ベースバンドのデジタル信号を生成する。なお、一般的にベースバンドの信号は同相成分と直交成分のふたつの成分を含んでいるので、ふたつの信号線によって示されるべきであるが、ここでは図の明瞭性からベースバンド信号をひとつの信号線によって示す。以下も同様である。
【００３６】
ＤＡ変換部５６は、ベースバンドのデジタル信号をアナログ信号に変換する。直交変調部５４は、ベースバンドのアナログ信号から直交変調によって、中間周波数の信号を生成する。ここで、ＡＤ変換部４８から出力されるデジタル信号をデジタル受信信号３００、ＤＡ変換部５６に入力されるデジタル信号をデジタル送信信号３０２とする。
増幅部５０は、送信すべき無線周波数の信号を増幅する。
【００３７】
図５は、信号処理部１４の構成を示す。信号処理部１４は、参照信号生成部７２、受信ウエイトベクトル計算部７０、合成部６８、受信応答ベクトル計算部２００、送信ウエイトベクトル計算部７６、分離部７４を含む。さらに、合成部６８は、乗算部７８と総称される第１乗算部７８ａ、第２乗算部７８ｂ、第Ｎ乗算部７８ｎ、加算部８０を含み、分離部７４は、乗算部８２と総称される第１乗算部８２ａ、第２乗算部８２ｂ、第Ｎ乗算部８２ｎを含む。
【００３８】
また、信号として、合成信号３０４、分離前信号３０６、受信ウエイトベクトル３０８と総称される第１受信ウエイトベクトル３０８ａ、第２受信ウエイトベクトル３０８ｂ、第Ｎ受信ウエイトベクトル３０８ｎ、送信ウエイトベクトル３１０と総称される第１送信ウエイトベクトル３１０ａ、第２送信ウエイトベクトル３１０ｂ、第Ｎ送信ウエイトベクトル３１０ｎ、参照信号３１２、受信応答ベクトル４０２を含む。
【００３９】
参照信号生成部７２は、図２に示した「ＰＲ」を記憶しており、トレーニング期間中は、記憶した「ＰＲ」を参照信号３１２として出力し、トレーニング終了後は、合成信号３０４を判定して判定した信号を参照信号３１２として出力する。なお、トレーニング期間の終了は、図示しない制御部２０からの信号処理部制御信号３３０によって通知されるものとする。
【００４０】
受信ウエイトベクトル計算部７０は、デジタル受信信号３００の重み付けに必要な受信ウエイトベクトル３０８を、ＲＬＳ（Ｒｅｃｕｒｓｉｖｅ  Ｌｅａｓｔ  Ｓｑｕａｒｅｓ）アルゴリズムやＬＭＳ（Ｌｅａｓｔ  Ｍｅａｎ  Ｓｑｕａｒｅｓ）アルゴリズムなどの適応アルゴリズムによって計算する。なお、適応アルゴリズムの演算は、デジタル受信信号３００、合成信号３０４、参照信号３１２にもとづいてなされる。例えば、ＬＭＳアルゴリズムは次のように示される。ＲＬＳアルゴリズムに関しても同様に実行される。
【数１】
2006019807.tif 000003
ここで、Ｗは受信ウエイトベクトル３０８、μは忘却係数、ｕは、デジタル受信信号３００、ｅは符号間干渉を示した誤差、すなわち合成信号３０４と参照信号３１２との間の誤差を示す。
乗算部７８は、デジタル受信信号３００を受信ウエイトベクトル３０８で重み付けする。加算部８０は、乗算部７８からの出力を加算して、合成信号３０４を出力する。
【００４１】
受信応答ベクトル計算部２００は、送信信号に対する受信信号の受信応答特性として受信応答ベクトル４０２を計算する。ここでは、説明の便宜のため端末装置２６の数を２とするが、そのうち第１の端末装置２６が通信対象であり、第２の端末装置２６は通信対象でなく干渉源に相当する。そのため、第２の端末装置に関する信号は、図示しない第２の信号処理部１４等から入力されているものとする。なお、干渉源としての第２の端末装置２６を考慮しない場合は、以下の説明から第２の端末装置に関連する項を削除してもよい。また、説明の便宜のためにアンテナ２２の数を４とする。デジタル受信信号３００に対応した入力信号ベクトルＸ（ｔ）は、次のように示される。
【００４２】
【数２】
2006019807.tif 000004
ここで、Ｓｒｘｉ（ｔ）は、ｉ番目の端末装置２６が送信した信号を示す。さらに、Ｘ（ｔ）は、前述のごとく入力信号ベクトルであり、デジタル受信信号３００のそれぞれをＲＸｊ（ｔ）とすれば、次のように示される。なお、ｊは図示しないアンテナ２２の番号であり、Ｔは行列の転置を示す。
【数３】
2006019807.tif 000005
また、Ｈｉは受信応答ベクトル４０２であり、ｊ番目のアンテナ２２で受信されたｉ番目の端末装置２６からの信号の応答係数をｈｉｊで示せば、Ｈｉは次のように示される。
【００４３】
【数４】
2006019807.tif 000006
さらに、Ｎ（ｔ）は雑音ベクトルであり、ｊ番目のアンテナ２２で受信された信号、すなわちｊ番目のデジタル受信信号３００に含まれた雑音をｎｊ（ｔ）で示せば、Ｎ（ｔ）は次のように示される。
【数５】
2006019807.tif 000007
ここで、信号処理部１４においてアダプティブアレイが正常に動作していれば、複数の端末装置２６からの信号を分離できるので、前述のＳｒｘｉ（ｔ）はすべて既知の信号になる。なお、この条件に関係なく、トレーニング信号の期間においても、前述のＳｒｘｉ（ｔ）はすべて既知の信号になる。これらを利用すれば、受信応答ベクトル４０２は以下の通りに導出できる。
【００４４】
第１の端末装置２６からの信号Ｓｒｘ１（ｔ）にもとづいて、アンサンブル平均を計算すれば、次のように示される。
【数６】
2006019807.tif 000008
ここで、Ｅはアンサンブル平均を示すが、ここではアンサンブル平均の処理を時間平均の処理におきかえるものとする。時間平均の処理が十分長い期間実行されれば、次のようになる。
【数７】
2006019807.tif 000009
これは、Ｓｒｘ１（ｔ）とＳｒｘ２（ｔ）の間に相関がなく、さらにＳｒｘ１（ｔ）とＮ（ｔ）の間に相関がないためである。以上のように受信応答ベクトル４０２に対応したＨ１は、次のように示される。
【数８】
2006019807.tif 000010
【００４５】
送信ウエイトベクトル計算部７６は、分離前信号３０６の重み付けに必要な送信ウエイトベクトル３１０を、受信応答特性である受信ウエイトベクトル３０８や受信応答ベクトル４０２から推定する。送信ウエイトベクトル３１０の推定方法は、任意とするが、最も簡易な方法として、受信ウエイトベクトル３０８をそのまま使用すればよい。あるいは、受信処理と送信処理の時間差で生じる伝搬環境のドップラー周波数変動を考慮して、従来の技術によって、受信ウエイトベクトル３０８あるいは受信応答ベクトル４０２を補正してもよい。ここでは説明の簡略化のため、送信ウエイトベクトル３１０の推定に受信応答ベクトル４０２を使用するものとするが、図示しない信号線によって入力した受信ウエイトベクトル３０８を使用してもよい。
【００４６】
受信応答ベクトル４０２は、受信応答ベクトル計算部２００で既に導出されている。受信応答ベクトル４０２に対してドップラー周波数変動を考慮して、受信応答ベクトル４０２に対する予測値が以下のように示される。
【数９】
2006019807.tif 000011
ここでも受信応答ベクトル計算部２００の説明と同様にアンテナ２２の数を４とした。なお、ｑは、ｑ番目の端末装置２６を示し、パケット信号を送信すべき端末装置２６の他に、アンテナ指向性のヌルを向けようとする端末装置２６も考慮しているものとする。また、ｉは時刻である。所定の端末装置２６に対する送信ウエイトベクトル３１０は、次のように示される。
【数１０】
2006019807.tif 000012
ここで、ｑは２以上とする。さらに、拘束条件として、以下の条件ｃ１）、ｃ２）を課す。
【数１１】
2006019807.tif 000013
【００４７】
なお、送信ウエイトベクトル３１０の推定はこれに限られず、疑似相関値を使用する方法やビームを所定の端末装置２６に向ける方法によってなされてもよい。特に、疑似相関値を使用する方法に関しては、例えば、文献：Ｔ．Ｏｈｇａｎｅ，  Ｙ．Ｏｇａｗａ，  ａｎｄ  Ｋ．Ｉｔｏｈ，  Ｐｒｏｃ．ＶＴＣ‘９７，  ｖｏｌ．２，  ｐｐ．７２５−７２９，  Ｍａｙ  １９９７等に記載されている。
【００４８】
乗算部８２は、分離前信号３０６を送信ウエイトベクトル３１０で重み付けし、デジタル送信信号３０２を出力する。
【００４９】
図６は、制御部２０の構成を示す。制御部２０は、検出部１１０、記憶部１１２、比較部１１４、判定部１１６、送信タイミング処理部１１８を含む。
【００５０】
検出部１１０は、無線部制御信号３１８あるいは信号処理部制御信号３３０を介して、所定のタイムスロットで受信したパケット信号から「ＳＳ」を検出する。記憶部１１２は、基準のタイミングとして、図３の第１基準タイミングと第２基準タイミングを記憶する。
【００５１】
比較部１１４は、タイムスロットのうちで、記憶部１１２で記憶した第１基準タイミングおよび第２基準タイミングに対して、検出部１１０で「ＳＳ」を検出したタイミングを比較する。
【００５２】
判定部１１６は、検出した「ＳＳ」のタイミングが、第１基準タイミングよりも前のタイミングに相当すれば、すなわち、図３（ａ）および（ｂ）に相当すれば、受信したパケット信号に配置された「ＣＲＣ」にもとづいて、受信したパケット信号の正誤を判定する。ここで、ＣＲＣによるパケット信号の正誤の判定は、従来の技術と同様のため説明を省略する。なお、ＣＲＣの検出のために、モデム部制御信号３２０あるいはベースバンド部制御信号３２２を介して、復調した信号を入力するものとする。ここで、ＣＲＣによるエラーチェックで誤りが検出されれば、受信したパケット信号が誤っているものとして、結果を出力する。
【００５３】
判定部１１６は、検出した「ＳＳ」のタイミングが、第１基準タイミングよりも後ろで、かつ第２基準タイミングより前のタイミングに相当すれば、判定部１１６はＥＶＭを導出する。なお、なお、ＥＶＭの導出のために、モデム部制御信号３２０あるいは信号処理部制御信号３３０を介して、処理対象の信号を入力するものとする。ＥＶＭは、以下のように導出する。
【００５４】
図７は、判定部１１６で計算されるＥＶＭの概要を示し、ここではＩＱ座標平面でのπ／４シフトＱＰＳＫシンボル点を示す。図中の黒丸印が本来のπ／４シフトＱＰＳＫシンボル点、すなわちパケット信号に含まれた信号が配置されるべき信号点を示し、Ｘ印が受信した信号の受信シンボル点、すなわちアダプティブアレイ信号処理したパケット信号に含まれた信号の信号点を示す。なお、信号処理部１４においてアダプティブアレイ信号処理が実行されているので、π／４シフトＱＰＳＫシンボル点はアダプティブアレイ信号処理がなされた結果に相当する。図示のごとく、伝送路での雑音や干渉波によって、受信した信号の受信シンボル点が本来のπ／４シフトＱＰＳＫシンボル点からずれている。図において矢印で示したずれが、ＥＶＭである。なお、ＥＶＭは、例えば、Ｗａｙｎｅ  Ｍｕｓｉｃ，Ｂｒｏａｄｃｏｍ  Ｃｏｒｐ．による”Ｓｔａｔｉｓｔｉｃａｌ  Ａｎａｌｙｓｉｓ  ｏｆ  Ｎｏｉｓｅ  Ｍｅａｓｕｒｅ  Ａｃｃｕｒａｃｙ”（ＩＥＥＥ  Ｐ８０２．１５  Ｗｉｒｅｌｅｓｓ  Ｐｅｒｓｏｎａｌ  Ａｒｅａ  Ｎｅｔｗｏｒｋｓ，２００１年３月８日）に開示されている。
【００５５】
判定部１１６は、ＥＶＭを次のように計算する。図７での本来のπ／４シフトＱＰＳＫシンボル点の座標を（ｄｉ，ｄｑ）とし、受信シンボル点を（ｙｉ，ｙｑ）とすれば、ＥＶＭは次のように示される。
（数１２）
ＥＶＭ  ＝  （ｙｉ−ｄｉ）２＋（ｙｑ−ｄｑ）２
なお、ＥＶＭの計算に関する詳細は、前述の文献に記載されているので、ここでの説明を省略する。図６に戻る。判定部１１６は、計算したＥＶＭを予め定めたしきい値と比較し、ＥＶＭがしきい値よりも大きければ、受信したパケット信号が誤っているものとして、結果を出力する。
【００５６】
判定部１１６は、検出した「ＳＳ」のタイミングが、第２基準タイミングよりも後ろのタイミングに相当すれば、判定部１１６は、パケット信号を復調してえられたデータを取得する。パケット信号を復調してえられたデータは、モデム部制御信号３２０あるいはベースバンド部制御信号３２２を介して入力される。ここで、パケット信号を復調してえられたデータには、ダミーのデータと有意なデータ、すなわち送信すべき情報が含まれており、ダミーのデータは有意なデータの後段に配置されている。そのため、パケット信号の遅延によって、ダミーのデータが後段のタイムスロットに重なり、さらにパケット信号が遅延して、有意なデータが後段のタイムスロットに重なる。有意なデータが後段のタイムスロットに重なっていなければ、通信として問題がない場合もある。判定部１１６は、有意なデータが後段のタイムスロットに重なっていれば、受信したパケット信号が誤っているものとして、結果を出力する。すなわち、データの内容にもとづいて判定する。なお、判定部１１６は、以上の判定に加えてＵＷの判定も実行して、両者のうちのいずれかが誤っている場合に、受信したパケット信号が誤っているものとして、結果を出力してもよい。
【００５７】
送信タイミング処理部１１８は、判定部１１６において、「ＳＳ」を検出したタイミングが、第１基準タイミングよりも前のタイミングに相当すれば、受信したパケット信号に対応した端末装置２６へ、所定のタイムスロット、具体的には図２の第５タイムスロットから第８タイムスロットのいずれかでパケット信号の送信を開始する。一方、「ＳＳ」を検出したタイミングが、第１基準タイミングよりも後ろのタイミングに相当すれば、受信したパケット信号に対応した端末装置２６へ、所定のタイムスロットの前段のタイムスロットに重なるようにパケット信号を前方にシフトしてから、パケット信号の送信を開始する。
【００５８】
図３（ａ）を例にして説明すれば、パケット信号をさらに左側にシフトさせて、パケット信号の「Ｒ」や「ＳＳ」が前段のタイムスロットに重なるように配置させる。一度にパケット信号をシフトさせる量は、「ＳＳ」を検出したタイミングと第１基準タイミングの際にもとづいて決定すればよい。すなわち、「ＳＳ」を検出したタイミングが第１基準タイミングから大きく遅れるほど、パケット信号を大きくシフトさせる。また、端末装置２６でパケット信号を検出する際のオープンアパーチャーやナローアパーチャー等のウインドウサイズに応じて、一度にパケット信号をシフトさせる量が決定されてもよい。ここでは、基準を第１基準タイミングとして説明したが、これに限らず、第２基準タイミングやそのほかの基準であってもよい。
【００５９】
図８は、基地局装置１０での受信処理の手順を示すフローチャートである。検出部１１０は、受信したパケット信号の開始タイミング、すなわち「ＳＳ」のタイミングを取得する（Ｓ１０）。比較部１１４で開始タイミングと基準タイミングを比較した結果、開始タイミングが第１基準タイミングより後ろでなければ（Ｓ１２のＮ）、判定部１１６は、ＣＲＣビットによってパケット信号の正誤を判定する（Ｓ１４）。開始タイミングが第１基準タイミングより後ろであり（Ｓ１２のＹ）、かつ開始タイミングが第２基準タイミングより後ろでなければ（Ｓ１６のＮ）、判定部１１６は、ＥＶＭでパケット信号の正誤を判定する（Ｓ１８）。一方、開始タイミングが第２基準タイミングより後ろであれば（Ｓ１６のＹ）、判定部１１６は、データの内容で正誤を判定する（Ｓ２０）。判定部１１６は、パケット信号が正しければ（Ｓ２２のＹ）、ベースバンド部１８等はパケット信号を処理し（Ｓ２４）、パケット信号が正しくなければ（Ｓ２２のＮ）、ベースバンド部１８等はパケット信号を破棄する（Ｓ２６）。
【００６０】
図９にもとづいて、以上の構成による通信システム１００の動作を説明する。図９は、通信システム１００での通信処理の手順を示すシーケンス図である。ここでは、特に基地局装置１０と端末装置２６が通信を開始する際の動作を説明する。基地局装置１０は、報知信号を送信する（Ｓ５０）。端末装置２６は、受信した報知信号にもとづいて、フレームタイミングを確立する（Ｓ５２）。すなわち、基地局装置１０とのタイミング同期を確立する。端末装置２６は、制御信号に割り当てられたタイムスロットで、基地局装置１０にＬＣＨ割当要求を送信する（Ｓ５４）。
【００６１】
基地局装置１０は、受信したＬＣＨ割当要求のパケット信号に含まれた「ＳＳ」のタイミングを検出する（Ｓ５６）。ここで、「ＳＳ」のタイミングは第１基準タイミングよりも後ろのタイミングに相当していたものとする。そのため、基地局装置１０は、送信タイミングの前方シフトを決定する（Ｓ５８）。基地局装置１０は、ＬＣＨ確立のパケット信号を端末装置２６に送信した（Ｓ６０）後、ＴＣＨを端末装置２６に送信する（Ｓ６２）。端末装置２６は、受信したパケット信号にもとづいて、フレームタイミングを修正する（Ｓ６４）。すなわち、フレームタイミングを前方にシフトさせる。端末装置２６は、修正したフレームタイミングにもとづいて、基地局装置１０にＴＣＨを送信する（Ｓ６６）。
【００６２】
本発明の実施例によれば、ＣＲＣビットを検出できなくても、パケット信号のＥＶＭを使用してパケット信号に誤りが含まれているかを判定するので、パケット信号の遅延が大きくなっても、誤り判定を実行できる。また、遅延が大きくても誤り判定を実行できるので、基地局装置と端末装置間の距離を大きくできる。また、基地局装置と端末装置間の距離が大きくできるので、ひとつの基地局装置あたりのサービスエリアが広がり、同一エリアをカバーするために必要な基地局装置の数を削減できる。また、基地局装置の数を削減できるので、コストを低減できる。また、ＣＲＣビットが後段のタイムスロットに重なっていなければ、ＣＲＣビットによるパケット信号の誤り判定を実行するので、通常の精度で検出できる。
【００６３】
また、ＣＲＣビットがすべて後段のタイムスロットに重なった場合であっても、データの内容にもとづいて、パケット信号に誤りが含まれているかを判定できるので、誤り判定を実行できる。基地局装置と端末装置間の距離がさらに大きくなっても、基地局装置のカバーエリアをさらに広くできる。また、アダプティブアレイ信号処理してから、パケット信号を復調するので伝送品質を改善できる。また、受信したパケット信号の遅延が大きければ、パケット信号を送信するタイミングを前方にシフトするので、折り返してパケット信号を受信する際に、遅延を小さくできる。
【００６４】
以上、本発明を実施の形態をもとに説明した。この実施の形態は例示であり、それらの各構成要素や各処理プロセスの組合せにいろいろな変形例が可能なこと、またそうした変形例も本発明の範囲にあることは当業者に理解されるところである。
【００６５】
本発明の実施例において、通信システム１００を簡易型携帯電話システムとした。しかしながらこれに限らず例えば、携帯電話システム、第３世代携帯電話システム、無線ＬＡＮシステム、ＦＷＡ（Ｆｉｘｅｄ  Ｗｉｒｅｌｅｓｓ  Ａｃｃｅｓｓ）システムであってもよい。本変形例によれば、さまざまな通信システム１００に本発明を適用できる。つまり、基地局装置１０が生成したフレームにもとづいて、基地局装置１０と端末装置２６が通信を実行すればよい。
【００６６】
本発明の実施例において、基地局装置１０は、アダプティブアレイ信号処理を実行している。しかしこれに限らず、アダプティブアレイを実行せず、ひとつあるいは複数のアンテナでパケット信号を受信して、誤り検出および送信タイミングの制御を実行してもよい。本変形例によれば、基地局装置１０の処理を簡易にできる。つまり、誤り検出および送信タイミングの制御を実行すればよい。
【００６７】
本発明の実施例において、記憶部１１２で記憶した第１基準タイミングは、タイムスロットから「Ｇ」が完全に外れたタイミングとして規定し、第２基準タイミングは、タイムスロットから「ＣＲＣ」が完全に外れたタイミングとして規定している。しかしながらこれに限らず例えば、前述のように規定したタイミングに対して誤差を考慮して、当該誤差の分だけ、タイミングをシフトさせたような第１基準タイミングと第２基準タイミングを規定してもよい。本変形例によれば、ＣＲＣで判定を実行する期間、ＥＶＭで判定を実行する期間、データの内容で判定を実行する期間の長さを調節できる。すなわち、第１基準タイミングと第２基準タイミングが、タイムスロットから「Ｇ」が完全に外れたタイミング、タイムスロットから「ＣＲＣ」が完全に外れたタイミングにもとづいて定められていればよい。
【００６８】
本発明の実施例において、送信タイミング処理部１１８は、所定の場合にパケット信号を前方にシフトしてから、パケット信号の送信を開始している。しかしながらこれに限らず例えば、送信タイミング処理部１１８は、送信するパケット信号にタイミングを前方にシフトしている旨を示す信号を付加してもよい。本変形例によれば、当該パケット信号を受信した端末装置２６は、通信対象の基地局装置１０とのフレームタイミングが他の基地局装置１０におけるフレームタイミングと異なっていることを認識でき、フレームタイミングの違いを考慮して他の基地局装置１０から信号を受信できる。その結果、ハンドオーバー等をスムーズに実行できる。
【００６９】
本発明の実施例において、送信タイミング処理部１１８は、所定の場合にパケット信号を前方にシフトしてから、パケット信号の送信を開始している。しかしながらこれに限らず例えば、送信タイミング処理部１１８は、パケット信号を送信する際にパケット信号のうちの「Ｒ」を除去してもよい。本変形例によれば、前段のタイムスロットに与える干渉を小さくできる。つまり、パケット信号のうちで「ＳＳ」の後段が受信されればよい。
【図面の簡単な説明】
【００７０】
【図１】本発明の実施例に係る通信システムの構成を示す図である。
【図２】図１の通信システムでのフレームフォーマットの構成を示す図である。
【図３】図３（ａ）−（ｄ）は、図１の通信システムでのタイムスロットとパケット信号との関係を示す図である。
【図４】図１の第１無線部の構成を示す図である。
【図５】図１の信号処理部の構成を示す図である。
【図６】図１の制御部の構成を示す図である。
【図７】図６の判定部１１６で計算されるＥＶＭの概要を示す図である。
【図８】図１の基地局装置での受信処理の手順を示すフローチャートである。
【図９】図１の通信システムでの通信処理の手順を示すシーケンス図である。
【符号の説明】
【００７１】
１０  基地局装置、  １２  無線部、  １４  信号処理部、  １６  モデム部、  １８  ベースバンド部、  ２０  制御部、  ２２  アンテナ、  ２４  ネットワーク、  ２６  端末装置、  ３４  アンテナ、  １００  通信システム、  １１０  検出部、  １１２  記憶部、  １１４  比較部、  １１６  判定部、  １１８  送信タイミング処理部、  ２００  受信応答ベクトル計算部。
【図１】
2006019807.tif 000014
【図２】
2006019807.tif 000015
【図３】
2006019807.tif 000016
【図４】
2006019807.tif 000017
【図５】
2006019807.tif 000018
【図６】
2006019807.tif 000019
【図７】
2006019807.tif 000020
【図８】
2006019807.tif 000021
【図９】
2006019807.tif 000022